(57)【要約】【課題】現在の参加者の状態や不参加時間の会話内容を通知することによって、再参加操作するかどうかの判断要素を提供する。【解決手段】ＰｏＣグループ通信について、現在の参加者数と参加者名との少なくとも一方からなる参加者状態データをプレゼンスサーバ装置３で管理する。また、ＰｏＣグループ通信における通信内容の概要を示すログデータをメディアサーバ装置４に保持する。ＰｏＣグループ通信から退出した移動端末１からの再参加要求に応答して、参加者状態データやログデータをＳＩＰサーバ装置２から移動端末１に向けて返信する。【効果】現在の参加者の状態や、不参加時間の会話内容を通知することによって、再参加操作するかどうかの判断要素をユーザに提供できる。【選択図】      図４
2008160281.tif 000002
【特許請求の範囲】
【請求項１】
ＰｏＣグループ通信から退出した通信端末について、前記ＰｏＣグループ通信への再参加を制御するＰｏＣグループ通信システムであって、ＰｏＣグループ通信が継続している場合に限り前記ＰｏＣグループ通信への再参加を希望する旨を示す途中参加フラグが、前記通信端末からの再参加要求に含まれている場合、前記ＰｏＣグループ通信が継続していなければ、再参加不可である旨の応答を前記通信端末へ通知する再参加不可通知手段を含むことを特徴とするＰｏＣグループ通信システム。
【請求項２】
ＰｏＣグループ通信について、現在の参加者数と参加者名との少なくとも一方からなる参加者状態データを管理する参加者状態管理手段と、前記ＰｏＣグループ通信から退出した通信端末からの再参加要求及び前記ＰｏＣグループ通信に新たに参加しようとする通信端末からの参加要求の少なくとも一方に応答して前記参加者状態データを前記通信端末に向けて返信する参加者状態返信手段とを含むことを特徴とするＰｏＣグループ通信システム。
【請求項３】
ＰｏＣグループ通信について、現在の参加者数と参加者名との少なくとも一方からなる参加者状態データを管理する参加者状態管理手段と、前記参加者状態データを、前記ＰｏＣグループ通信に新たに呼出される通信端末に向けて送信する参加者状態送信手段とを含むことを特徴とするＰｏＣグループ通信システム。
【請求項４】
ＰｏＣグループ通信における通信内容の概要を示すログデータを保持するログデータ保持手段と、前記ＰｏＣグループ通信から退出した通信端末からの再参加要求及び前記ＰｏＣグループ通信に新たに参加しようとする通信端末からの参加要求の少なくとも一方に応答して前記ログデータを前記通信端末に向けて返信するログデータ返信手段とを含むことを特徴とするＰｏＣグループ通信システム。
【請求項５】
ＰｏＣグループ通信における通信内容の概要を示すログデータを保持するログデータ保持手段と、前記ＰｏＣグループ通信に新たに呼出される通信端末へ送信する呼出信号に前記ログデータを含めて送信するログデータ返信手段とを含むことを特徴とするＰｏＣグループ通信システム。
【請求項６】
前記ログデータは、前記ＰｏＣグループ通信における通話内容をテキストデータに変換したデータであることを特徴とする請求項４又は５に記載のＰｏＣグループ通信システム。
【請求項７】
ＰｏＣグループ通信から退出後、前記ＰｏＣグループ通信へ再参加する通信端末であって、前記ＰｏＣグループ通信への再参加要求を送出する再参加要求送出手段と、前記再参加要求の返信として前記ＰｏＣグループ通信の現在の参加者状態を示すデータを取得するデータ取得手段と、前記データ取得手段によって取得したデータを自端末のユーザに告知する告知手段とを含み、前記ＰｏＣグループ通信への再参加のための操作を前記ユーザに促すようにしたことを特徴とする通信端末。
【請求項８】
ＰｏＣグループ通信に新たに参加する通信端末であって、前記ＰｏＣグループ通信への参加要求を送出する参加要求送出手段と、前記参加要求の返信として前記ＰｏＣグループ通信の現在の参加者状態を示すデータを取得するデータ取得手段と、前記データ取得手段によって取得したデータを自端末のユーザに告知する告知手段とを含み、前記ＰｏＣグループ通信への参加のための操作を前記ユーザに促すようにしたことを特徴とする通信端末。
【請求項９】
ＰｏＣグループ通信への新たな参加を促すための呼出信号を受信する通信端末であって、前記呼出信号に含まれている、前記ＰｏＣグループ通信の現在の参加者状態を示すデータを取得するデータ取得手段と、前記データ取得手段によって取得したデータを自端末のユーザに告知する告知手段とを含み、前記ＰｏＣグループ通信への参加のための操作を前記ユーザに促すようにしたことを特徴とする通信端末。
【請求項１０】
前記データ取得手段は、
前記ＰｏＣグループ通信から退出していた時間を示す退出時間情報に対応する通信内容の概要、予め指定された時間情報及び参加者名の少なくとも一方に対応する通信内容の概要、現在の参加者数と参加者名との少なくとも一方からなる参加者状態データに対応する通信内容の概要、のうち少なくとも１つを示すログデータを、前記参加者状態を示すデータと共に取得することを特徴とする請求項８又は９に記載の通信端末。
【発明の詳細な説明】
【技術分野】
【０００１】
本発明はＰｏＣグループ通信システム、通信端末に関する。
【背景技術】
【０００２】
携帯電話機等の移動通信端末（以下、移動端末と称する）をトランシーバのように使用することを可能にし、ボタンに触るだけで複数人によるグループ内でのコミュニケーションを実現するＰｏＣ（Push-to-Talk over Cellular）通信サービスが実施されている。このＰｏＣ通信は１対１またはグループ間での迅速なコミュニケーション手段であり、ＰｏＣ通信では移動端末をトランシーバのように利用することができる。会話を開始するための操作は、ダイヤルボタンを押すのではなく、特定のボタンを押すという簡単な操作である。
【０００３】
ＰｏＣ通信を行うには、通信路が形成されていることを前提とし、ＳＩＰ（Session Initiation Protocol）によるRegistrationメッセージ、INVITEメッセージの後、ＲＴＣＰ（Real-time Transport Control Protocol）による発言権の取得が行われる。ＰｏＣグループ通信においては、発言権を取得しているユーザのみが発言することができる。また、ＰｏＣグループ通信を行っている移動端末については、そのグループ通信から退出することができる。この場合、退出していない、他の移動端末により、引き続きＰｏＣグループ通信を行うことができる。
【０００４】
ＰｏＣグループ通信を行っていた移動端末が、そのグループ通信から一旦退出し、その後に再参加する場合も考えられる。この動作について、図１１を参照して説明する。同図において、移動端末１は、他の移動端末（図示せず）と共に、ＰｏＣグループ通信を過去に行っていた端末である。この移動端末１が操作され、再参加しようとするＰｏＣグループ通信のレコードを発信履歴あるいは着信履歴から選択する（ステップＳ５１）。そのレコードにはグループＩＤが含まれている。すると、移動端末１からＳＩＰサーバ装置２へ再参加要求が送信され、さらにＳＩＰサーバ装置２を介してプレゼンスサーバ装置３に送られる（ステップＳ５２、Ｓ５２’）。この再参加要求は、例えば、周知の「ＳＩＰ  ＩＮＶＩＴＥ」である。
【０００５】
再参加要求を受取ったプレゼンスサーバ装置３は、再参加要求の信号に含まれているグループＩＤにより、グループ通信が継続しているか、既に終了しているか判別する（ステップＳ５３）。この判別の結果、グループ通信が継続している場合、参加可能（参加ＯＫ）であることを示す再参加応答が、プレゼンスサーバ装置３からＳＩＰサーバ装置２へ送信され、さらにＳＩＰサーバ装置２を介して移動端末１に送られる（ステップＳ５４、Ｓ５４’）。これにより、移動端末１は、ＰｏＣグループ通信に再参加することになる（ステップＳ５５）。
【０００６】
一方、上記判別の結果、グループ通信が既に終了している場合、参加不可能（参加ＮＧ）であることを示す再参加応答が、プレゼンスサーバ装置３からＳＩＰサーバ装置２へ送信される（ステップＳ５６）。
以上の処理において、グループ通信が既に終了している場合、移動端末１は、ＰｏＣグループ通信に再参加できない。この場合、移動端末１のユーザは、新たなＰｏＣグループ通信のために、ＳＩＰサーバ装置２は元グループのメンバーへ発信処理を行うことになる（ステップＳ５７）。
【０００７】
また、過去にＰｏＣグループ通信に参加していなかった移動端末は継続中のＰｏＣグループ通信に初めて参加することも考えられる。この動作について、図１２を参照して説明する。
同図において、移動端末１は、ＰｏＣグループ通信を過去に行っていなかった端末で、新規にＰｏＣグループ通信に参加しようとする端末である。この移動端末１が操作され、参加しようとする継続中のＰｏＣグループ通信のレコードを選択する。この際、継続中のＰｏＣグループ通信のみ選択することができる。そのレコードにはグループＩＤが含まれている。ＰｏＣグループ通信を選択すると、移動端末１からＳＩＰサーバ装置２へ参加要求が送信され（ステップＳ８１）、さらにＳＩＰサーバ装置２を介してプレゼンスサーバ装置３に送られる（ステップＳ８１’）。
【０００８】
参加要求を受取ったプレゼンスサーバ装置３は、参加要求の信号に含まれているグループＩＤにより、グループ通信が継続していると判別する。プレゼンスサーバ装置３は、設定されているポリシーを判別し、グループ通信への新規参加可否を判断する（ステップＳ８２）。過去にＰｏＣグループ通信に参加していなかった移動端末も自主的にグループ通信参加できるポリシーが設定されている場合、参加可能（参加ＯＫ）であることを示す参加応答が、プレゼンスサーバ装置３からＳＩＰサーバ装置２へ送信される（ステップＳ８３）この参加応答は、さらにＳＩＰサーバ装置２を介して移動端末１に送られる（ステップＳ８３’）。これにより、移動端末１は、ＰｏＣグループ通信に参加することになる（ステップＳ８４）。
【０００９】
一方、過去にＰｏＣグループ通信に参加していなかった移動端末は自主的にグループ通信参加できないポリシーが設定されている場合、参加不可能（参加ＮＧ）であることを示す参加応答が、プレゼンスサーバ装置３からＳＩＰサーバ装置２へ送信される（ステップＳ８５）。この参加応答は、さらにＳＩＰサーバ装置２を介して移動端末１に送られる（ステップＳ８５’）。これにより、移動端末１は、ＰｏＣグループ通信に参加できない（ステップＳ８６）。
【００１０】
また、ＰｏＣグループ通信継続中の移動端末から他の移動端末を呼出すことも考えられる。この動作について、図１３を参照して説明する。
同図において、移動端末１は、ＰｏＣグループ通信を継続中の端末である。この移動端末１が操作され、グループ通信継続中以外の移動端末を選択して呼出す。本例では、呼出される移動端末の中の１つは移動端末１ｃとする。すると、移動端末１からＳＩＰサーバ装置２へ呼出要求が送信される（ステップＳ９１）。
【００１１】
この呼出要求を受取ったＳＩＰサーバ装置２は、呼出要求を送信して移動端末１ｃを呼出す（ステップＳ９１’）。この呼出要求を受取った移動端末１ｃでは、その端末の操作により、ＰｏＣグループ通信へ参加するか参加しないか決定する（ステップＳ９２）。
移動端末１ｃがグループ通信に参加する場合、参加可能（参加ＯＫ）であることを示す参加応答が、ＳＩＰサーバ装置２へ送信される（ステップＳ９３）。この参加応答は、さらにＳＩＰサーバ装置２を介して移動端末１に送られる（ステップＳ９３’）。そして、ＳＩＰサーバ装置２は、プレゼンスサーバ装置３へ、移動端末２がグループ通信に参加したことを通知する（ステップＳ９４）。これにより、移動端末１ｃは、ＰｏＣグループ通信に参加することになる（ステップＳ９５）。
【００１２】
一方、移動端末１ｃがグループ通信に参加しない場合、参加不可能（参加ＮＧ）であることを示す参加応答が、ＳＩＰサーバ装置２へ送信される（ステップＳ９６）。この参加応答は、さらにＳＩＰサーバ装置２を介して移動端末１に送られる（ステップＳ９６’）。これにより、移動端末１は、ＰｏＣグループ通信に参加できない（ステップＳ９７）。
ところで、特許文献１には、通信内容を後から確認できるようにしたＰｏＣシステムが開示されている。
【特許文献１】特開２００５−２３４６６６号公報
【発明の開示】
【発明が解決しようとする課題】
【００１３】
上述した処理においては、グループ通信が既に終了している場合、ＳＩＰサーバ装置２は元グループのメンバーへ発信処理を行うことになるため、新たなＰｏＣグループ通信になる。しかしながら、ＰｏＣグループ通信が継続している場合に限り、ＰｏＣグループ通信への再参加を希望するユーザも存在し、そのようなユーザの利便性を考慮する必要がある。
また、ＰｏＣグループ通信へ再参加する場合、そのグループの現在の参加者が誰であるかを知ったうえで参加操作したい、という要請がある。また、正式に参加する前に、グループ通信から退出した後になされた会話の内容を知りたい、という要請がある。
【００１４】
また、ＰｏＣグループ通信へ新たに参加する場合（自主的に参加する場合、及び、呼出されて参加する場合の両方を含む）、そのグループの現在の参加者が誰であるかを知ったうえで参加操作したい、という要請がある。また、そのグループに正式に参加する前に、グループ通信においてなされた会話の内容を知りたい、という要請もある。
特許文献１に記載のＰｏＣシステムによれば、データベースにアクセスすることで通信内容を後から確認することができる。しかしながら、たとえ通信内容を後から確認できても、確認している間にＰｏＣグループ通信が終了してしまうことが多く、会話内容を確認したうえでＰｏＣグループ通信へ再参加することはできない。
【００１５】
本発明の目的は、ＰｏＣグループ通信が継続している場合に限り、ＰｏＣグループ通信への再参加を実現することのできるＰｏＣグループ通信システムを提供することである。
本発明の他の目的は、現在の参加者の状態や不参加時間の会話内容を通知することによって、新規に参加するための操作（以下、新規参加操作と呼ぶ）又は再参加するための操作（以下、再参加操作と呼ぶ）を行うかどうかの判断要素を提供できるＰｏＣグループ通信システム、通信端末を提供することである。
【課題を解決するための手段】
【００１６】
本発明の請求項１によるＰｏＣグループ通信システムは、ＰｏＣグループ通信から退出した通信端末について、前記ＰｏＣグループ通信への再参加を制御するＰｏＣグループ通信システムであって、ＰｏＣグループ通信が継続している場合に限り前記ＰｏＣグループ通信への再参加を希望する旨を示す途中参加フラグが、前記通信端末からの再参加要求に含まれている場合、前記ＰｏＣグループ通信が継続していなければ、再参加不可である旨の応答を前記通信端末へ通知する再参加不可通知手段（例えば、図２中のステップＳ３６に対応）を含むことを特徴とする。このような構成によれば、ユーザの希望に応じて、ＰｏＣグループ通信が継続している場合に限り、ＰｏＣグループ通信への再参加を実現することができる。
【００１７】
本発明の請求項２によるＰｏＣグループ通信システムは、ＰｏＣグループ通信について、現在の参加者数と参加者名との少なくとも一方からなる参加者状態データを管理する参加者状態管理手段（例えば、図４又は図６中のプレゼンスサーバ装置３に対応）と、前記ＰｏＣグループ通信から退出した通信端末からの再参加要求及び前記ＰｏＣグループ通信に新たに参加しようとする通信端末からの参加要求の少なくとも一方に応答して前記参加者状態データを前記通信端末に向けて返信する参加者状態返信手段（例えば、図４又は図６中のＳＩＰサーバ装置２に対応）とを含むことを特徴とする。このような構成によれば、現在の参加者の状態を通知し、新規参加操作又は再参加操作を行うかどうかの判断要素をユーザに提供することができる。
【００１８】
本発明の請求項３によるＰｏＣグループ通信システムは、ＰｏＣグループ通信について、現在の参加者数と参加者名との少なくとも一方からなる参加者状態データを管理する参加者状態管理手段（例えば、図４中のプレゼンスサーバ装置３に対応）と、前記参加者状態データを、前記ＰｏＣグループ通信に新たに呼出される通信端末に向けて送信する参加者状態送信手段とを含むことを特徴とする。このような構成によれば、現在の参加者の状態を通知し、新規参加操作を行うかどうかの判断要素をユーザに提供することができる。
【００１９】
本発明の請求項４によるＰｏＣグループ通信システムは、ＰｏＣグループ通信における通信内容の概要を示すログデータを保持するログデータ保持手段（例えば、図４中のメディアサーバ装置４に対応）と、前記ＰｏＣグループ通信から退出した通信端末からの再参加要求及び前記ＰｏＣグループ通信に新たに参加しようとする通信端末からの参加要求の少なくとも一方に応答して前記ログデータを前記通信端末に向けて返信するログデータ返信手段（例えば、図４中のＳＩＰサーバ装置２に対応）とを含むことを特徴とする。このような構成によれば、不参加時間すなわちその通信端末がＰｏＣグループ通信から退出した時刻以降の会話内容を通知し、再参加操作を行うかどうかの判断要素をユーザに提供することができる。また、呼出される通信端末がＰｏＣグループ通信に参加していない通信端末であれば、ログデータを全部送信することにより、不参加時間の会話内容を通知し、新規参加操作を行うかどうかの判断要素をユーザに提供することができる。
【００２０】
本発明の請求項５によるＰｏＣグループ通信システムは、ＰｏＣグループ通信における通信内容の概要を示すログデータを保持するログデータ保持手段（例えば、図４中のメディアサーバ装置４に対応）と、前記ＰｏＣグループ通信に新たに呼出される通信端末へ送信する呼出信号に前記ログデータを含めて送信するログデータ返信手段とを含むことを特徴とする。ＰｏＣグループ通信に参加していない通信端末を呼出す場合に、ログデータを全部送信することにより、不参加時間の会話内容を通知し、新規参加操作を行うかどうかの判断要素をユーザに提供することができる。
【００２１】
本発明の請求項６によるＰｏＣグループ通信システムは、請求項４又は５において、前記ログデータは、前記ＰｏＣグループ通信における通話内容をテキストデータに変換したデータであることを特徴とする。通話内容をテキストデータで表示することによって、新規参加操作又は再参加操作を行うかどうかの判断要素をユーザに提供することができる。
【００２２】
本発明の請求項７による通信端末は、ＰｏＣグループ通信から退出後、前記ＰｏＣグループ通信へ再参加する通信端末であって、前記ＰｏＣグループ通信への再参加要求を送出する再参加要求送出手段と、前記再参加要求の返信として前記ＰｏＣグループ通信の現在の参加者状態を示すデータを取得するデータ取得手段と、前記データ取得手段によって取得したデータを自端末のユーザに告知する告知手段とを含み、前記ＰｏＣグループ通信への再参加のための操作を前記ユーザに促すようにしたことを特徴とする。このような構成によれば、現在の参加者の状態を通知し、再参加操作を行うかどうかの判断要素をユーザに提供することができる。
【００２３】
本発明の請求項８による通信端末は、ＰｏＣグループ通信に新たに参加する通信端末であって、前記ＰｏＣグループ通信への参加要求を送出する参加要求送出手段と、前記参加要求の返信として前記ＰｏＣグループ通信の現在の参加者状態を示すデータを取得するデータ取得手段と、前記データ取得手段によって取得したデータを自端末のユーザに告知する告知手段とを含み、前記ＰｏＣグループ通信への参加のための操作を前記ユーザに促すようにしたことを特徴とする。このような構成によれば、現在の参加者の状態を通知し、新規参加操作を行うかどうかの判断要素をユーザに提供することができる。
【００２４】
本発明の請求項９による通信端末は、ＰｏＣグループ通信への新たな参加を促すための呼出信号を受信する通信端末であって、前記呼出信号に含まれている、前記ＰｏＣグループ通信の現在の参加者状態を示すデータを取得するデータ取得手段と、前記データ取得手段によって取得したデータを自端末のユーザに告知する告知手段とを含み、前記ＰｏＣグループ通信への参加のための操作を前記ユーザに促すようにしたことを特徴とする。このような構成によれば、現在の参加者の状態を取得し、新規参加操作を行うかどうかの判断要素をユーザに提供することができる。
【００２５】
本発明の請求項１０による通信端末は、請求項８又は９において、前記ＰｏＣグループ通信から退出していた時間を示す退出時間情報に対応する通信内容の概要、予め指定された時間情報及び参加者名の少なくとも一方に対応する通信内容の概要、現在の参加者数と参加者名との少なくとも一方からなる参加者状態データに対応する通信内容の概要、のうち少なくとも１つを示すログデータを、前記参加者状態を示すデータと共に取得することを特徴とする。このような構成によれば、不参加時間の会話内容を通知し、新規参加操作又は再参加操作を行うかどうかの判断要素をユーザに提供することができる。
【発明の効果】
【００２６】
本発明によれば、ＰｏＣグループ通信が継続している場合に限りＰｏＣグループ通信への再参加を希望する旨を示す途中参加フラグを定義することにより、ユーザの希望に応じて、ＰｏＣグループ通信が継続している場合に限り、ＰｏＣグループ通信への再参加を実現できるという効果がある。
また、本発明によれば、現在の参加者の状態や不参加時間における会話内容を通知することによって、新規参加のための操作又は再参加のための操作を行うかどうかの判断要素を提供できるという効果がある。
【発明を実施するための最良の形態】
【００２７】
以下、本発明の実施の形態を、図面を参照して説明する。なお、以下の説明において参照する各図では、他の図と同等部分は同一符号によって示されている。
（途中参加フラグを用いたＰｏＣグループ通信システム）
途中参加フラグを含む再参加要求を定義し、ＰｏＣグループ通信が継続している場合に限り、再参加を行うことのできるＰｏＣグループ通信システムについて説明する。
【００２８】
ここでは、本システムにおいて、ＰｏＣグループ通信を行っていた移動端末が、そのグループ通信から一旦退出し、その後に再参加する場合の動作について、図１を参照して説明する。同図において、本例のＰｏＣグループ通信システムでは、移動端末１と、他の移動端末（図示せず）とによってＰｏＣグループ通信が行われる。ＰｏＣグループ通信システムは、ＳＩＰサーバ装置２と、プレゼンスサーバ装置３とを含んで構成されている。
【００２９】
ＳＩＰサーバ装置２は、ＰｏＣグループ通信の開始、終了などに関する制御を行う。
プレゼンスサーバ装置３は、グループメンバリストを保持し、現在継続しているＰｏＣグループ通信を管理する機能を有している。つまり、プレゼンスサーバ装置３は、ＳＩＰサーバ装置２からの問合せに対し、ＰｏＣグループ通信が現在継続しているかどうか応答することができる。
なお、ＰｏＣ通信グループ設立時点で、プレゼンスサーバ装置３によりセッションＩＤが付与され、このＩＤによってグループを特定することができるので、このＩＤによってグループの同一性を判別することができる。
【００３０】
このような構成において、移動端末１は、他の移動端末（図示せず）と共に、ＰｏＣグループ通信を過去に行っていた端末である。つまり、ＰｏＣグループ通信に、過去に参加していた人にのみ再参加が認められる。この移動端末１がユーザによって操作され、端末の機能メニューより、「途中参加」を選択する（ステップＳ１）。すると、移動端末１から再参加要求が送出される（ステップＳ２）。この再参加要求には、グループ通信が継続している場合にそのＰｏＣグループ通信への途中参加を希望することを示す途中参加フラグが設定されている。この再参加要求は、ＳＩＰサーバ装置２を介して、プレゼンスサーバ装置３へ送られる（ステップＳ２’）。
【００３１】
再参加要求を受取ったプレゼンスサーバ装置３では、グループ通信への再参加が可能かどうかの判定処理を行う（ステップＳ３）。この判定処理について、図２を参照して説明する。同図は、プレゼンスサーバ装置３において行われる判定処理の内容を示すフローチャートである。
同図において、再参加要求を受取った場合、最初に、途中参加フラグが設定されているかどうか判定する（ステップＳ３１）。この判定の結果、途中参加フラグが未設定であれば、プレゼンスサーバ装置３へのアクセスが行われ、グループ通信が継続しているかどうか判定する（ステップＳ３１→Ｓ３２）。この判定の結果、グループ通信が継続している場合、再参加発信処理が行われる（ステップＳ３２→Ｓ３３）。
【００３２】
一方、判定の結果、グループ通信が既に終了している場合、新規ＰｏＣグループ発信処理が行われる（ステップＳ３２→Ｓ３４）。
ステップＳ３１の判定の結果、途中参加フラグが設定されていれば（すなわちグループ通信継続時に限り途中参加を希望する場合）、プレゼンスサーバ装置３へのアクセスが行われ、グループ通信が継続しているかどうか判定する（ステップＳ３５）。この判定の結果、グループ通信が継続している場合、再参加発信処理が行われる（ステップＳ３５→Ｓ３３）。
【００３３】
一方、判定の結果、グループ通信が既に終了している場合、再参加発信処理は行われず、エラー応答処理が行われる（ステップＳ３５→Ｓ３６）。このエラー応答処理が行われる場合、以下のようになる。すなわち、図１に戻り、プレゼンスサーバ装置３から移動端末１に向けて、エラー応答が送信される（ステップＳ４）。このエラー応答は、ＳＩＰサーバ装置２を介して、移動端末１へ送られる（ステップＳ４’）。つまり、移動端末１からの再参加要求において途中参加フラグが設定されているということは、グループ通信継続時に限り途中参加を希望することであるため、グループ通信が既に終了している場合には、元グループメンバへの新規発信処理は行われず、エラー応答が送出される。
【００３４】
以上の動作について、さらに図３を参照して説明する。同図は、本システムの動作に対応するシーケンス図である。同図において、再参加しようとするＰｏＣグループ通信のレコードを発信履歴あるいは着信履歴から選択する（ステップＳ６１）。そのレコードにグループＩＤが含まれている。ただし、ここではグループ通信を行っている場合のみ参加するための途中参加フラグを設定しない。この場合、移動端末１から再参加要求が送信され、以後の動作は図１１を参照して上述した内容と同じである（ステップＳ６２）。
【００３５】
一方、グループ通信を行っている場合のみ参加するための途中参加フラグを設定し、再参加しようとするＰｏＣグループ通信のレコードを発信履歴あるいは着信履歴から選択する（ステップＳ６３）。そのレコードにグループＩＤが含まれている。すると、再参加要求が移動端末１から送出され、ＳＩＰサーバ装置２を介してプレゼンスサーバ装置３に送られる（ステップＳ６４、Ｓ６４’）。この再参加要求は、例えば、周知の「ＳＩＰ  ＩＮＶＩＴＥ」である。
【００３６】
再参加要求を受取ったプレゼンスサーバ装置３は、再参加要求の信号に含まれているグループＩＤにより、グループ通信が継続しているか、既に終了しているか判別する（ステップＳ６５）。この判別の結果、グループ通信が継続している場合、参加可能（参加ＯＫ）であることを示す再参加応答が、プレゼンスサーバ装置３からＳＩＰサーバ装置２へ送信され、さらにＳＩＰサーバ装置２を介して移動端末１に送られる（ステップＳ６６、Ｓ６６’）。これにより、移動端末１は、ＰｏＣグループ通信に再参加することになる（ステップＳ６７）。
【００３７】
一方、上記判別の結果、グループ通信が既に終了している場合、参加不可能（参加ＮＧ）であることを示す再参加応答が、プレゼンスサーバ装置３からＳＩＰサーバ装置２へ送信され、さらにＳＩＰサーバ装置２を介して移動端末１に送られる（ステップＳ６８、Ｓ６８’）。これにより、移動端末１において、例えば、「グループ通信終了しました」等のメッセージを画面に表示する（ステップＳ６９）。これにより、移動端末１は、新しいＰｏＣグループ通信のための発信処理を行わない（ステップＳ７０）。
ＰｏＣグループ通信が継続している場合に限り、ＰｏＣグループ通信への再参加を希望する旨を示す途中参加フラグを定義することにより、ユーザの希望に応じて、ＰｏＣグループ通信が継続している場合に限り、ＰｏＣグループ通信への再参加を実現することができる。
【００３８】
（参加者状態、通話概要の通知を行うＰｏＣグループ通信システム）
次に、参加者状態や、ＰｏＣグループ通信から退出していた時間内における通話概要を通知して再参加操作を促す場合の構成例について、説明する。本例では、ＰｏＣグループ通信の現在の参加者数、参加者名、退出時間における通話概要を移動端末に通知するＰｏＣグループ通信システムについて図４を参照して説明する。
【００３９】
同図において、本例のＰｏＣグループ通信システムでは、移動端末１と、他の移動端末１ａ、１ｂとによってＰｏＣグループ通信が行われる。ＰｏＣグループ通信システムは、ＳＩＰサーバ装置２と、プレゼンスサーバ装置３と、メディアサーバ装置４と、セッションログサーバ装置５とを含んで構成されている。
ＳＩＰサーバ装置２、プレゼンスサーバ装置３の機能については、図１を参照して説明した通りである。
セッションログサーバ装置５は、ＰｏＣグループ通信のセッションログを保持している。
【００４０】
メディアサーバ装置４は、グループ通信の内容すなわち音声データ、発言権データを記録し、テキストベースのログに変換する機能を有している。本例では、音声ログについては、音声全体についてのログではなく概要すなわちアウトラインについてのログとする。この場合、しゃべり始めの数ワードをテキストに変換したものを概要としてもよい。音声データの他、発言権データをテキストデータとして保持しておいても良い。どのようなメディアを取得するかについて、移動端末のユーザがメニュー操作等によって選択できるようにしても良い。
このような構成において、退出していた移動端末１が再参加要求を送出する（ステップＳ１０１）。これは退出していた時間におけるセッション情報を取得するための要求でもある。
【００４１】
この再参加要求を受取ったＳＩＰサーバ装置２は、プレゼンスサーバ装置３へ、セッション情報の取得可否判定、及び、メンバーすなわち参加者情報を問合せる（ステップＳ１０２）。この問合せに応答して、プレゼンスサーバ装置３は、グループ通信の参加者の残り人数、及び、参加者の名前に関する情報を返信する（ステップＳ１０３）。また、ＳＩＰサーバ装置２は、退出していた時間に話されていた内容に関するログデータをメディアサーバ装置４から取得する（ステップＳ１０４）。その後、ＳＩＰサーバ装置２は、移動端末１へ、グループ通信の参加者の残り人数、及び、参加者の名前に関する情報を含むセッション情報応答を送信する（ステップＳ１０５）。
【００４２】
この応答を受信することにより、移動端末１のユーザは、セッション情報の内容を見て、再参加すると決定することになる（ステップＳ１０６）。すると、移動端末１からＳＩＰサーバ装置２へ、再参加要求が送出される（ステップＳ１０７）。この再参加要求については、グループ通信の継続中のみ参加するか、既に通信が終了していた場合に新規に発信するかを示すフラグが付加される。
この要求を受取ったＳＩＰサーバ装置２は、プレゼンスサーバ装置３へ、再参加通知を送信する（ステップＳ１０８）。それと同時に、ＳＩＰサーバ装置２は、通信相手である他の移動端末１ａ、１ｂへ、再参加通知を送信する（ステップＳ１０９ａ、Ｓ１０９ｂ）。
【００４３】
図５は、上述したシステムの動作を示すシーケンス図である。同図において、再参加しようとするＰｏＣグループ通信のレコードを発信履歴あるいは着信履歴から選択する（ステップＳ２０１）。そのレコードにグループＩＤが含まれている。ただし、ここでは移動端末１の機能メニューにおいてセッション情報の取得を設定しない。この場合、移動端末１から再参加要求が送信され、以後の動作は図１１を参照して上述した内容と同じである（ステップＳ２０２）。
【００４４】
一方、移動端末１の機能メニューにおいてセッション情報の取得を設定し、再参加しようとするＰｏＣグループ通信のレコードを発信履歴あるいは着信履歴から選択する（ステップＳ２０３）。そのレコードにグループＩＤが含まれている。ここでは、サブメニューとして、メディア取得要否を示す、メディア要求フラグを設定することができる。本例では、メディア取得必要の場合にのみメディア要求フラグが含まれ、メディア取得不要の場合はメディア要求フラグ自体が含まれない、とする。メディア要求フラグを含む又はそれを含まない再参加要求が移動端末１から送出されると、ＳＩＰサーバ装置２を介してプレゼンスサーバ装置３に送られる（ステップＳ２０４、Ｓ２０４’）。この再参加要求は、例えば、周知の「ＳＩＰ  ＩＮＶＩＴＥ」である。
【００４５】
再参加要求を受取ったプレゼンスサーバ装置３は、再参加要求の信号に含まれているグループＩＤにより、グループ通信が継続しているか、既に終了しているか判別する（ステップＳ２０５）。さらに、プレゼンスサーバ装置３は、再参加要求の信号にメディア要求フラグが含まれているかどうか判定する（ステップＳ２０６）。
ステップＳ２０６の判定の結果、メディア要求フラグが含まれていない場合、プレゼンスサーバ装置３から再参加可能応答が送出され、ＳＩＰサーバ装置２を介して移動端末１に送られる（ステップＳ２０７、Ｓ２０７’）。この再参加可能応答には、グループ通信に何人が現在残っているかを示す「参加者数」と、誰が現在残っているかを示す「参加者名」とが含まれている。
【００４６】
この再参加可能応答を受取った移動端末１においては、上記の「参加者数」や「参加者名」が画面に表示され、その表示内容を見て再参加するかどうかユーザが判断することになる（ステップＳ２０８）。その後、再参加のための操作が行われなかった場合すなわち再参加しなかった場合は、移動端末１における一連の処理が終了となる（ステップＳ２０９）。再参加のための操作が行われた場合は、移動端末１からＳＩＰサーバ装置２を経由して各メンバーの移動端末（図示せず）への通知が行われ、グループ通信が行われることになる（ステップＳ２１０）。
【００４７】
一方、ステップＳ２０６の判定の結果、メディア要求フラグが含まれている場合、プレゼンスサーバ装置３は、グループ通信のログを取得するため、グループ通信ログ要求をメディアサーバ装置４へ送出する（ステップＳ２１１）。この要求を受取ったメディアサーバ装置４は、グループ通信のログを含むグループ通信ログ応答をプレゼンスサーバ装置３へ送出する（ステップＳ２１２）。
【００４８】
その後、グループ通信ログ応答を受取ったプレゼンスサーバ装置３から再参加可能応答が送出され、ＳＩＰサーバ装置２を介して移動端末１に送られる（ステップＳ２１３、Ｓ２１３’）。この再参加可能応答には、グループ通信に何人が現在残っているかを示す「参加者数」、誰が現在残っているかを示す「参加者名」の他、「グループ通信のログ」が含まれている。
【００４９】
この再参加可能応答を受取った移動端末１においては、上記の「参加者数」や「参加者名」の他、「グループ通信のログ」が画面に表示され、その表示内容を見て再参加するかどうかユーザが判断することになり、以後の動作は上述したステップＳ２０８からＳ２１０の処理内容と同じである（ステップＳ２１４）。すなわち、再参加のための操作が行われなかった場合すなわち再参加しなかった場合は移動端末１における一連の処理が終了となり、再参加のための操作が行われた場合は移動端末１からＳＩＰサーバ装置２を経由して各メンバーの移動端末（図示せず）への通知が行われ、グループ通信が行われることになる。
【００５０】
ステップＳ２０５における判別の結果、グループ通信が既に終了している場合、参加不可能（参加ＮＧ）であることを示す再参加応答が、プレゼンスサーバ装置３からＳＩＰサーバ装置２へ送信され、さらにＳＩＰサーバ装置２を介して移動端末１に送られる（ステップＳ２１５、Ｓ２１５’）。これにより、移動端末１において、例えば、「グループ通信終了しました」等のメッセージを画面に表示する（ステップＳ２１６）。これにより、移動端末１は、新しいＰｏＣグループ通信のための発信処理を行わない（ステップＳ２１７）。
【００５１】
以上のように、現在の参加者の状態や不参加時間における会話内容を通知することによって、再参加操作するかどうかの判断要素を提供することができる。
なお、上記の例では、現在の参加者数、参加者名、通信内容の概要を示すログデータ、の全てを通知しているが、これらのうちの少なくとも一方を通知すれば、再参加するかどうかについての判断要素をユーザに提供することができる。
【００５２】
（参加者状態、通話概要を新規参加通信端末へ通知するＰｏＣグループ通信システム）
以上は、ＰｏＣグループ通信に再参加しようとする通信端末へ、参加者状態データやログデータを送信する場合について説明した。これら参加者状態データやログデータは、再参加ではなく、ＰｏＣグループ通信に新たに参加しようとする通信端末に送信してもよい。この場合について、図６を参照して説明する。
【００５３】
移動端末１の機能メニューにおいてセッション情報の取得を設定し、新規に参加しようとするＰｏＣグループ通信のレコードを選択する（ステップＳ３０１）。そのレコードにグループＩＤが含まれている。ここでは、サブメニューとして、メディア取得要否を示す、メディア要求フラグを設定することができる。本例では、メディア取得必要の場合にのみメディア要求フラグが含まれ、メディア取得不要の場合はメディア要求フラグ自体が含まれない、とする。メディア要求フラグを含む又はそれを含まない参加要求が移動端末１から送出されると、ＳＩＰサーバ装置２を介してプレゼンスサーバ装置３に送られる（ステップＳ３０２、Ｓ３０２’）。この参加要求は、例えば、周知の「ＳＩＰ  ＩＮＶＩＴＥ」である。
【００５４】
参加要求を受取ったプレゼンスサーバ装置３は、参加要求の信号に含まれているグループＩＤにより、グループ通信が継続しているか、既に終了しているか判別する（ステップＳ３０３）。さらに、プレゼンスサーバ装置３は、参加要求の信号にメディア要求フラグが含まれているかどうか判定する（ステップＳ３０４）。
ステップＳ３０４の判定の結果、メディア要求フラグが含まれていない場合、プレゼンスサーバ装置３から参加可能応答が送出され、ＳＩＰサーバ装置２を介して移動端末１に送られる（ステップＳ３０５、Ｓ３０５’）。この参加可能応答には、グループ通信に何人が現在残っているかを示す「参加者数」と、誰が現在残っているかを示す「参加者名」とが含まれている。
【００５５】
この参加可能応答を受取った移動端末１においては、上記の「参加者数」や「参加者名」が画面に表示され、その表示内容を見て新規に参加するかどうかユーザが判断することになる（ステップＳ３０６）。その後、新規参加のための操作が行われなかった場合すなわち参加しなかった場合は、移動端末１における一連の処理が終了となる（ステップＳ３０７）。新規参加のための操作が行われた場合は、移動端末１からＳＩＰサーバ装置２を経由して各メンバーの移動端末（図示せず）への通知が行われ、グループ通信が行われることになる（ステップＳ３０８）。
【００５６】
一方、ステップＳ３０４の判定の結果、メディア要求フラグが含まれている場合、プレゼンスサーバ装置３は、グループ通信のログを取得するため、グループ通信ログ要求をメディアサーバ装置４へ送出する（ステップＳ３０９）。この要求を受取ったメディアサーバ装置４は、グループ通信のログを含むグループ通信ログ応答をプレゼンスサーバ装置３へ送出する（ステップＳ３１０）。
【００５７】
その後、グループ通信ログ応答を受取ったプレゼンスサーバ装置３から参加可能応答が送出され、ＳＩＰサーバ装置２を介して移動端末１に送られる（ステップＳ３１１、Ｓ３１１’）。この参加可能応答には、グループ通信に何人が現在残っているかを示す「参加者数」、誰が現在残っているかを示す「参加者名」の他、「グループ通信のログ」が含まれている。
【００５８】
この参加可能応答を受取った移動端末１においては、上記の「参加者数」や「参加者名」の他、「グループ通信のログ」が画面に表示され、その表示内容を見て参加するかどうかユーザが判断することになり、以後の動作は上述したステップＳ３０６からＳ３０８の処理内容と同じである（ステップＳ３１２）。すなわち、参加のための操作が行われなかった場合すなわち参加しなかった場合は移動端末１における一連の処理が終了となり、参加のための操作が行われた場合は移動端末１からＳＩＰサーバ装置２を経由して各メンバーの移動端末（図示せず）への通知が行われ、グループ通信が行われることになる。
【００５９】
ステップＳ３０３における判別の結果、グループ通信が既に終了している場合、参加不可能（参加ＮＧ）であることを示す参加応答が、プレゼンスサーバ装置３からＳＩＰサーバ装置２へ送信され、さらにＳＩＰサーバ装置２を介して移動端末１に送られる（ステップＳ３１３、Ｓ３１３’）。これにより、移動端末１において、例えば、「グループ通信終了しました」等のメッセージを画面に表示する（ステップＳ３１４）。これにより、移動端末１は、新しいＰｏＣグループ通信のための発信処理を行わない（ステップＳ３１５）。
【００６０】
以上のように、現在の参加者の状態や不参加時間における会話内容を通知することによって、新規に参加操作するかどうかの判断要素を提供することができる。不参加時間における会話内容については、通信内容（すなわちログデータ）の全部を通知してもよいし、移動端末１によって予め指定された時間情報に対応する通信内容（すなわちログデータの一部分）を通知してもよい。後者の場合、例えば、上述したステップＳ３０１において時間情報を入力して指定してもよいし、ステップＳ３０１の処理とは別に前もって時間情報を入力して指定してもよい。時間情報に限らず、特定の参加者を予め指定し、その参加者に関するログデータのみを通知するようにしてもよい。この場合にも、上述したステップＳ３０１において特定の参加者を入力して指定してもよいし、ステップＳ３０１の処理とは別に前もって特定の参加者を入力して指定してもよい。つまり、時間情報や参加者名を予め指定しておき、それらの少なくとも一方に対応する通信内容の概要を示すログデータを通知するようにしてもよい。このように指定された内容にお対応する通信内容を示すログデータを通知すれば、参加するかどうかについての判断要素をユーザに提供することができる。
【００６１】
上記の例では、現在の参加者数、参加者名、通信内容の概要を示すログデータ、の全てを通知しているが、これらのうちの少なくとも一方を通知すれば、新規に参加するかどうかについての判断要素をユーザに提供することができる。
なお、以上説明したＰｏＣグループ通信システムは、以下の機能を有していることになる。すなわち、ＰｏＣグループ通信について、現在の参加者数と参加者名との少なくとも一方からなる参加者状態データを管理する参加者状態管理手段（図６中のプレゼンスサーバ装置３に対応）と、上記ＰｏＣグループ通信に新たに参加しようとする通信端末からの参加要求に応答して上記参加者状態データを上記通信端末に向けて返信する参加者状態返信手段（図６中のＳＩＰサーバ装置２に対応）とをＰｏＣグループ通信システムが有している。このような構成によれば、現在の参加者の状態を通知し、新規参加操作を行うかどうかの判断要素をユーザに提供することができる。
【００６２】
（参加者状態、通話概要を新規参加通信端末へ通知するＰｏＣグループ通信システム）
参加者状態データやログデータは、ＰｏＣグループ通信への参加を促すために、新たに呼出される通信端末に向けて送信してもよい。この場合について、図７を参照して説明する。
同図において、移動端末１は、ＰｏＣグループ通信を継続中の端末である。この移動端末１が操作され、グループ通信継続中以外の移動端末を選択して呼出す。本例では、呼出される移動端末の中の１つは移動端末１ｃとする。すると、移動端末１からの呼出要求は、ＳＩＰサーバ装置２を介してプレゼンスサーバ装置３に送られる（ステップＳ４０１、Ｓ４０１’）。この参加要求は、例えば、周知の「ＳＩＰ  ＩＮＶＩＴＥ」である。
【００６３】
次に、プレゼンスサーバ装置３は、参加要求の信号にメディア要求フラグが含まれているかどうか判定する（ステップＳ４０２）。
ステップＳ４０２の判定の結果、メディア要求フラグが含まれていない場合、プレゼンスサーバ装置３から呼出要求が送出され、ＳＩＰサーバ装置２を介して移動端末１ｃに送られる（ステップＳ４０３、Ｓ４０３’）。この呼出要求には、グループ通信に何人が現在残っているかを示す「参加者数」と、誰が現在残っているかを示す「参加者名」とが含まれている。
【００６４】
この呼出要求を受取った移動端末１ｃでは、その端末の操作により、ＰｏＣグループ通信へ参加するか参加しないか決定する（ステップＳ４０４）。以後の動作は図１３を参照して上述した内容と同じである（ステップＳ４０５）。
一方、ステップＳ４０２の判定の結果、メディア要求フラグが含まれている場合、プレゼンスサーバ装置３は、グループ通信のログを取得するため、グループ通信ログ要求をメディアサーバ装置４へ送出する（ステップＳ４０６）。この要求を受取ったメディアサーバ装置４は、グループ通信のログを含むグループ通信ログ応答をプレゼンスサーバ装置３へ送出する（ステップＳ４０７）。
【００６５】
その後、プレゼンスサーバ装置３から呼出要求が送出され、ＳＩＰサーバ装置２を介して移動端末１ｃに送られる（ステップＳ４０８、Ｓ４０８’）。この呼出要求には、グループ通信に何人が現在残っているかを示す「参加者数」と、誰が現在残っているかを示す「参加者名」とが含まれている。
この呼出要求を受取った移動端末１ｃでは、その端末の操作により、ＰｏＣグループ通信へ参加するか参加しないか決定する（ステップＳ４０９）。以後の動作は図１３を参照して上述した内容と同じである（ステップＳ４１０）。
【００６６】
以上のように、現在の参加者の状態や不参加時間における会話内容を、呼出要求の際に通知することによって、新規に参加操作するかどうかの判断要素を提供することができる。不参加時間における会話内容については、通信内容（すなわちログデータ）の全部を通知してもよいし、移動端末１によって予め指定された時間情報に対応する通信内容（すなわちログデータの一部分）を通知してもよい。
上記の例では、現在の参加者数、参加者名、通信内容の概要を示すログデータ、の全てを通知しているが、これらのうちの少なくとも一方を通知すれば、新規に参加するかどうかについての判断要素をユーザに提供することができる。
【００６７】
なお、以上説明したＰｏＣグループ通信システムは、以下の機能を有していることになる。すなわち、ＰｏＣグループ通信について、現在の参加者数と参加者名との少なくとも一方からなる参加者状態データを管理する参加者状態管理手段（図６中のプレゼンスサーバ装置３に対応）と、上記参加者状態データを、上記ＰｏＣグループ通信に新たに呼出される通信端末に向けて送信する参加者状態送信手段（図６中のＳＩＰサーバ装置２に対応）とをＰｏＣグループ通信システムが有している。このような構成によれば、新たに呼出される通信端末に向けて、現在の参加者の状態を通知し、新規参加操作を行うかどうかの判断要素をユーザに提供することができる。
【００６８】
（移動端末）
以上説明した、参加者状態、通話概要の通知を行うＰｏＣグループ通信システムにおいて、移動端末は、例えばＰｏＣ通信機能を有する携帯電話機である。そして、図５を参照して説明したＰｏＣグループ通信システムにおいて用いられている移動端末は、図８に示されているように、ＰｏＣグループ通信への再参加要求を送出する再参加要求送出手段１１と、上記再参加要求の返信として上記ＰｏＣグループ通信の現在の参加者状態を示すデータを取得するデータ取得手段１２と、上記データ取得手段によって取得したデータを自端末のユーザに告知する告知手段１３とを含んでおり、上記ＰｏＣグループ通信への再参加のための操作を上記ユーザに促すことができる。告知手段１３は、例えば表示画面への表示機能である。このような構成によれば、現在の参加者の状態を通知し、再参加操作するかどうかの判断要素をユーザに提供することができる。
また、データ取得手段１２が、上記ＰｏＣグループ通信から退出していた時間を示す退出時間情報に対応する通信内容の概要を示すログデータを、上記参加者状態を示すデータと共に取得することにより、不参加時間の会話内容を通知し、再参加操作するかどうかの判断要素をユーザに提供することができる。
【００６９】
図６を参照して説明したＰｏＣグループ通信システムにおいて用いられている移動端末は、図９に示されているように、ＰｏＣグループ通信に新たに参加する通信端末であって、上記ＰｏＣグループ通信への参加要求を送出する参加要求送出手段１１ａと、上記参加要求の返信として上記ＰｏＣグループ通信の現在の参加者状態を示すデータを取得するデータ取得手段１２と、上記データ取得手段１２によって取得したデータを自端末のユーザに告知する告知手段１３とを含んでおり、上記ＰｏＣグループ通信への参加のための操作を上記ユーザに促すことができる。告知手段１３は、例えば表示画面への表示機能である。このような構成によれば、現在の参加者の状態を通知し、新規参加操作を行うかどうかの判断要素をユーザに提供することができる。
【００７０】
また、図７を参照して説明したＰｏＣグループ通信システムにおいて用いられている移動端末は、図１０に示されているように、ＰｏＣグループ通信への新たな参加を促すための呼出信号を受信する通信端末であって、上記呼出信号に含まれている、上記ＰｏＣグループ通信の現在の参加者状態を示すデータを取得するデータ取得手段１２と、上記データ取得手段１２によって取得したデータを自端末のユーザに告知する告知手段１３とを含んでおり、上記ＰｏＣグループ通信への参加のための操作を上記ユーザに促すことができる。告知手段１３は、例えば表示画面への表示機能である。このような構成によれば、現在の参加者の状態を取得し、新規参加操作を行うかどうかの判断要素をユーザに提供することができる。
【産業上の利用可能性】
【００７１】
本発明は、ＰｏＣグループ通信から退出後、再参加する場合や、ＰｏＣグループ通信に新規に参加する場合に利用できる。
【図面の簡単な説明】
【００７２】
【図１】本発明の実施の形態に係る途中参加フラグを用いたＰｏＣグループ通信システムの構成例を示す図である。
【図２】再参加要求を受取ったプレゼンスサーバ装置における判定処理を示すフローチャートである。
【図３】図１及び図２の動作に対応するシーケンス図である。
【図４】本発明の実施の形態に係る参加者状態、通話概要の通知を行うＰｏＣグループ通信システムの構成例を示す図である。
【図５】図４のシステムの動作を示すシーケンス図である。
【図６】ＰｏＣグループ通信に新たに参加しようとする通信端末に参加者状態データやログデータを送信する場合の動作例を示すシーケンス図である。
【図７】ＰｏＣグループ通信への参加を促すために、新たに呼出される通信端末に向けて、参加者状態データやログデータを送信する場合の動作例を示すシーケンス図である。
【図８】図４中の移動端末の構成例を示すブロック図である。
【図９】図６を参照して説明したＰｏＣグループ通信システムにおいて用いられている移動端末の構成例を示すブロック図である。
【図１０】図７を参照して説明したＰｏＣグループ通信システムにおいて用いられている移動端末の構成例を示すブロック図である。
【図１１】ＰｏＣグループ通信を行っていた移動端末が、そのグループ通信から一旦退出し、その後に再参加する場合の動作例を示すシーケンス図である。
【図１２】ＰｏＣグループ通信に参加していなかった移動端末が、ＰｏＣグループ通信に初めて参加する場合の動作例を示すシーケンス図である。
【図１３】ＰｏＣグループ通信継続中の移動端末から他の移動端末を呼出す場合の動作例を示すシーケンス図である。
【符号の説明】
【００７３】
１、１ａ、１ｂ、１ｃ  移動端末
２  ＳＩＰサーバ装置
３  プレゼンスサーバ装置
４  メディアサーバ装置
５  セッションログサーバ装置
１１、１１ａ  再参加要求送出手段
１２  データ取得手段
１３  告知手段
【図１】
2008160281.tif 000003
【図２】
2008160281.tif 000004
【図３】
2008160281.tif 000005
【図４】
2008160281.tif 000006
【図５】
2008160281.tif 000007
【図６】
2008160281.tif 000008
【図７】
2008160281.tif 000009
【図８】
2008160281.tif 000010
【図９】
2008160281.tif 000011
【図１０】
2008160281.tif 000012
【図１１】
2008160281.tif 000013
【図１２】
2008160281.tif 000014
【図１３】
2008160281.tif 000015